(57)【要約】【課題】発光面積を増加させても、駆動回路を大型化させることなく高速駆動が可能となされ、また、半導体層の一部においてショートが生じても発光面全体が発光しなくなることが回避された固体発光素子を提供する。【解決手段】ＰＮ接合された半導体層１を有し、この半導体層１の裏面側に面電極２が配置され表面側に分散電極３が配置され表面側が面発光光源となる固体発光素子において、分散電極３は、複数の部分に分割されており、これら各部分が互いに分離している。分散電極３の分離された各部分に、複数の駆動回路を対応させて接続させ、各駆動回路に電源を供給することにより、照明装置を構成することができる。【選択図】図２
2008028269.tif 000002
【特許請求の範囲】
【請求項１】
複数種類の半導体を接合面を介して積層させた半導体層と、この半導体層の一方の面上に形成された分散電極と、該半導体層の他方の面上に形成された面電極とを有し、これら面電極と分散電極との間に順方向電圧を印加し、前記半導体層に通電させることによって、前記接合面付近において発光させ、この光を前記分散電極が形成された一方の面側から外部に射出させる面発光光源となる固体発光素子であって、
前記分散電極は、複数の部分に分割され、これら各部分が互いに分離している電極である
ことを特徴とする固体発光素子。
【請求項２】
複数種類の半導体が接合面を介して積層され一方の面上に複数の部分に分割され分離された分散電極が形成され他方の面上に面電極が形成された半導体層を有し、これら面電極と分散電極との間に順方向電圧を印加して、前記接合面付近において発光させ、この光を前記分散電極が形成された一方の面側から外部に射出させる面発光光源となる固体発光素子と、
前記分散電極の分離された各部分に対応して接続された複数の駆動回路と、
前記各駆動回路に電源を供給する電源部と
を備え、
前記各駆動回路により、前記分散電極の対応する各部分に給電して、前記固体発光素子に面発光をさせる
ことを特徴とする照明装置。
【請求項３】
それぞれが三原色のいずれか一の互いに異なる色の照明光を発する第１乃至第３の照明装置と、
前記第１の照明装置からの照明光によって照明される第１の空間光変調素子と、
前記第２の照明装置からの照明光によって照明される第２の空間光変調素子と、
前記第３の照明装置からの照明光によって照明される第３の空間光変調素子と、
前記各空間光変調素子を経た変調光を色合成する色合成素子と、
前記色合成素子を経た変調光が入射され、前記各空間光変調素子の像を結像させる結像光学系と
を備え、
前記第１乃至第３の照明装置は、複数種類の半導体が接合面を介して積層され一方の面上に複数の部分に分割され分離された分散電極が形成され他方の面上に面電極が形成された半導体層を有しこれら面電極と分散電極との間に順方向電圧を印加して前記接合面付近において発光させこの光を前記分散電極が形成された一方の面側から外部に射出させる面発光光源となる固体発光素子と、前記分散電極の分離された各部分に対応して接続された複数の駆動回路と、前記固体発光素子の発光状態を検出しこの検出結果に基づいて前記各駆動回路を制御するフィードバック手段とを有して構成され、
前記各照明装置において、前記各駆動回路は、前記分散電極の対応する各部分に給電して、前記固体発光素子を面発光させ、
前記各照明装置における各フィードバック手段は、各照明装置からの照明光の光量バランスを維持させ、表示画像のホワイトバランスを維持する
ことを特徴とする画像表示装置。
【発明の詳細な説明】
【技術分野】
【０００１】
本発明は、ＰＮ接合された半導体層を有する固体発光素子、この固体発光素子を有し画像表示装置等において空間光変調素子を照明する照明装置及びこのような照明装置を有して構成される画像表示装置に関する。
【背景技術】
【０００２】
従来、空間光変調素子を備え、この空間光変調素子を照明装置により照明し、空間光変調素子を経た変調光を結像させて画像表示を行う画像表示装置が提案されている。このような画像表示装置においては、空間光変調素子は、表示画像を表示し、この画像に応じて照明光を変調させる。空間光変調素子により変調された変調光は、結像光学系によって結像され、例えば、スクリーン上などに画像を表示する。
【０００３】
このような画像表示装置の照明装置においては、光源として、特許文献１に記載されているような固体発光素子を用いたものが提案されている。固体発光素子とは、発光ダイオード（ＬＥＤ）、半導体レーザーダイオード（ＬＤ）、電界発光素子（ＥＬ）などである。
【０００４】
また、このような固体発光素子として、図６に示すように、ＰＮ接合された半導体層１０１の裏面側に面電極１０２が配置され、表面側に梯子状電極１０３が配置され、該表面側が面発光光源となるものが提案されている。このような面発光を行う固体発光素子においては、表面側の梯子状電極１０３は、図７に示すように、全体として一つの電極であり、ボンディングワイヤ１０４及びボンディングパターン１０５を介して、一つの駆動回路に接続されている。
【０００５】
この固体発光素子は、駆動回路により、梯子状電極１０３及び面電極１０２を介して半導体層１０１に給電されることにより、面発光を行う。
【０００６】
【特許文献１】特開平７−６６４５５公報
【発明の開示】
【発明が解決しようとする課題】
【０００７】
前述のような画像表示装置においては、空間光変調素子をより高輝度に照明することによって、高輝度の画像表示が行えるようにすることが要望されており、光源の高出力化が図られている。そのため、前述したような従来の固体発光素子を用いる場合においては、発光面積を増加させることが望まれる。
【０００８】
固体発光素子においては、発光面積を増加させると、駆動電流も増加する傾向がある。そのため、発光面積を増加させた固体発光素子において、特に高速パルス駆動などの高速駆動を行う場合においては、大電流で高速駆動するため、電源及び駆動回路を大型化せざるをえない。電源及び駆動回路が大型化すると、装置構成の小型化が阻害され、また、製造コストの高騰を招来してしまう。
【０００９】
また、従来の固体発光素子においては、半導体層１０１の一部において何らかの理由でショートが生ずると、梯子状電極１０３及び面電極１０２間の電流がこのショート箇所に集中してしまうので、発光面全体が発光しなくなってしまう。
【００１０】
そこで、本発明は、前述の実情に鑑みて提案されるものであって、発光面積を増加させても、駆動回路を大型化させることなく高速駆動が可能となされ、また、半導体層の一部においてショートが生じても発光面全体が発光しなくなることが回避された固体発光素子を提供し、また、このような固体発光素子を用いることにより、駆動回路を大型化させることなく発光面積を増加させることができる照明装置を提供し、さらに、このような照明装置を用いた画像表示装置を提供することを目的とするものである。
【課題を解決するための手段】
【００１１】
前述の課題を解決し、前記目的を達成するため、本発明に係る照明装置は、以下の構成のいずれか一を有するものである。
【００１２】
〔構成１〕
本発明に係る固体発光素子は、複数種類の半導体を接合面を介して積層させた半導体層とこの半導体層の一方の面上に形成された分散電極と該半導体層の他方の面上に形成された面電極とを有しこれら面電極と分散電極との間に順方向電圧を印加し半導体層に通電させることによって接合面付近において発光させこの光を分散電極が形成された一方の面側から外部に射出させる面発光光源となる固体発光素子であって、分散電極は、複数の部分に分割され、これら各部分が互いに分離している電極であることを特徴とするものである。
【００１３】
〔構成２〕
本発明に係る照明装置は、複数種類の半導体が接合面を介して積層され一方の面上に複数の部分に分割され分離された分散電極が形成され他方の面上に面電極が形成された半導体層を有しこれら面電極と分散電極との間に順方向電圧を印加して接合面付近において発光させこの光を分散電極が形成された一方の面側から外部に射出させる面発光光源となる固体発光素子と、分散電極の分離された各部分に対応して接続された複数の駆動回路と、各駆動回路に電源を供給する電源部とを備え、各駆動回路により、分散電極の対応する各部分に給電して、固体発光素子に面発光をさせるとを特徴とするものである。
【００１４】
〔構成３〕
本発明に係る画像表示装置は、それぞれが三原色のいずれか一の互いに異なる色の照明光を発する第１乃至第３の照明装置と、第１の照明装置からの照明光によって照明される第１の空間光変調素子と、第２の照明装置からの照明光によって照明される第２の空間光変調素子と、第３の照明装置からの照明光によって照明される第３の空間光変調素子と、各空間光変調素子を経た変調光を色合成する色合成素子と、色合成素子を経た変調光が入射され、各空間光変調素子の像を結像させる結像光学系とを備え、第１乃至第３の照明装置は、
複数種類の半導体が接合面を介して積層され一方の面上に複数の部分に分割され分離された分散電極が形成され他方の面上に面電極が形成された半導体層を有しこれら面電極と分散電極との間に順方向電圧を印加して接合面付近において発光させこの光を分散電極が形成された一方の面側から外部に射出させる面発光光源となる固体発光素子と、分散電極の分離された各部分に対応して接続された複数の駆動回路と、固体発光素子の発光状態を検出しこの検出結果に基づいて各駆動回路を制御するフィードバック手段とを有して構成され、各照明装置において、各駆動回路は、分散電極の対応する各部分に給電して、固体発光素子を面発光させ、各照明装置における各フィードバック手段は、各照明装置からの照明光の光量バランスを維持させ、表示画像のホワイトバランスを維持することを特徴とするものである。
【発明の効果】
【００１５】
構成１を有する本発明に係る固体発光素子においては、分散電極は、複数の部分に分割され、これら各部分が互いに分離している電極であるので、これら各部分に供給される駆動電流は、分散電極の分割数に反比例して減少する。したがって、分散電極の分割された各部分に対応して、複数の駆動回路を接続させれば、これら駆動回路を大型化することなく、高速駆動が可能となる。
【００１６】
また、半導体層の一部において何らかの理由でショートが生じても、分散電極が複数の部分に分割されているため、この分散電極及び面電極間の電流がショート箇所に集中することがなく、発光面全体が発光しなくなることがない。
【００１７】
構成２を有する本発明に係る照明装置においては、構成１を有する固体発光素子と、分散電極の分離された各部分に対応して接続された複数の駆動回路と、各駆動回路に電源を供給する電源部とを備えており、各駆動回路により、分散電極の対応する各部分に給電して、固体発光素子に面発光をさせるので、分散電極の分割された各部分に供給される駆動電流は、この分散電極の分割数に反比例して減少し、駆動回路を大型化することなく、高速駆動が可能である。
【００１８】
構成３を有する本発明に係る画像表示装置においては、第１乃至第３の照明装置は、構成２の構成と、固体発光素子の発光状態を検出しこの検出結果に基づいて各駆動回路を制御するフィードバック手段とを有して構成されるので、駆動回路を大型化することなく高速駆動が可能である。
【００１９】
また、この画像表示装置においては、各照明装置における各フィードバック手段は、各照明装置からの照明光の光量バランスを維持させ、表示画像のホワイトバランスを維持するので、半導体層の一部において何らかの理由でショートが生じて光量が減少するような場合でも、表示画像のホワイトバランスが良好に維持される。
【００２０】
すなわち、本発明は、発光面積を増加させても、駆動回路を大型化させることなく高速駆動が可能となされ、また、半導体層の一部においてショートが生じても発光面全体が発光しなくなることが回避された固体発光素子を提供することができ、また、このような固体発光素子を用いることにより、駆動回路を大型化させることなく発光面積を増加させることができる照明装置を提供し、さらに、このような照明装置を用いた画像表示装置を提供することができるものである。
【発明を実施するための最良の形態】
【００２１】
以下、本発明に係る固体発光素子、この固体発光素子を用いた照明装置及びこの照明装置を用いた画像表示装置の構成について詳細に説明する。
【００２２】
〔固体発光素子の実施の形態〕
図１は、本発明に係る固体発光素子の構成を示す側面図である。
【００２３】
本発明に係る固体発光素子は、図１に示すように、複数種類の半導体を接合面を介して積層させた半導体層１を有し、この半導体層１の一方の面上に分散電極３が形成され、半導体層１の他方の面上に面電極２が形成されている。この固体発光素子は、これら面電極２と分散電極３との間に順方向電圧が印加され、半導体層１に通電させることによって、接合面付近において発光し、面発光光源となる。この固体発光素子は、他方の面を下側にしてシリコン基板４上に構成され、ボンディングワイヤ５を介して半導体層１に給電される。また、この固体発光素子は、半導体層１の他方の面側に反射膜が配置されており、いわゆる高輝度ＬＥＤとして構成されている。
【００２４】
半導体層１における接合面は、一般的にはＰＮ接合部である。この固体発光素子において、面電極２及び分散電極３から半導体層１に注入された電子と正孔とは、異なったエネルギー帯（伝導帯と価電子帯）を流れ、接合面付近において、禁制帯を越えて再結合する。電子と正孔との再結合の際に、ほぼ禁制帯幅（バンドギャップ）に相当するエネルギーが光子、すなわち、光として放出され、発光する。
【００２５】
なお、半導体層１における接合面は、一般的にはＰＮ接合部であるが、発光効率を上げるためには、ダブルヘテロ接合構造や量子井戸接合構造などを用いてもよい。このような半導体層１は、基板上に、化学気相成長法によって薄膜を積み重ねていくことによって製造される。
【００２６】
この固体発光素子において、半導体層１の接合面からは、両面側に光が射出される。半導体層１から一方の面（以下、表面部という。）側に射出された光は、そのまま半導体層１の表面側から外部に射出される。半導体層１から他方の面（以下、裏面部という。）側に射出された光は、反射膜によって反射され、半導体層１を透過して表面側へ射出される。また、外方からの半導体層１への入射光は、半導体層１を透過し、裏面側の反射膜で反射され、再び半導体層１を透過して表面側へ射出される。このようにして、この固体発光素子においては、従来のＬＥＤにおいて裏面側で光吸収により失われていた光が反射されて表面側から外部に射出されるため、高輝度化が図られている。なお、半導体層１は、この半導体層１が発している波長の光を透過させるので、この波長帯域の入射光は、半導体層１を透過して、裏面側において反射膜により反射されることとなる。
【００２７】
この固体発光素子の半導体層１は、例えば、２ｍｍ×６ｍｍの矩形状となっている。このような固体発光素子の半導体層１の材料は、赤色発光の場合、ＡｌＧａＡｓ、ＡｌＧａＩｎＰ、ＧａＡｓＰなど、緑色発光の場合、ＩｎＧａＮ、ＡｌＧａＩｎＰなど、青色発光の場合、ＩｎＧａＮなどである。これらＩｎＧａＮ系材料は、一般的には、サファイア基板上にエピタキシャル成長によって形成される。そして、反射膜は、例えば、レーザーリフトオフにより半導体をサファイア基板から剥離させ、Ｐ型半導体表面を平坦化して形成される。この反射膜は、半導体裏面に直接スパッタ等で成膜することができる。
【００２８】
図２は、本発明に係る固体発光素子の構成を示す平面図である。
【００２９】
そして、分散電極３は、図２に示すように、複数の部分に分割されており、これら各部分が互いに分離されている。そして、この分散電極３の分割された各部分は、それぞれがボンディングワイヤ５を介して、ボンディングパターン６に接続されている。ボンディングパターン６は、分散電極３の分割された各部分の数に対応した数に分割、分離されており、分散電極３の分割された各部分が互いに導通しないようになっている。
【００３０】
この固体発光素子は、ボンディングパターン６及びボンディングワイヤ５を介して、分散電極３の分割された各部分のそれぞれに対応した別個の駆動回路が接続されて使用される。各駆動回路には、同一の電源部から電源供給を行うことができる。
【００３１】
この固体発光素子においては、固体発光素子全体についてM（Ａ）の電流を流すとすると、分散電極３の分割された各部分の一つについては、分割数がｎであるとすると、〔M／ｎ〕（Ａ）の電流を流せばよい。例えば、固体発光素子全体について１０Ａの電流を流す場合において、分散電極３の分割数が５であるとすると、この分散電極３の分割された各部分の一つについては、２Ａの電流を流せばよい。したがって、この固体発光素子においては、高速パルス駆動などの高速駆動を行う場合において、駆動回路への負荷が軽減され、装置構成の小型化、コストダウンを図ることができる。
【００３２】
また、この固体発光素子においては、半導体層１の一部において何らかの理由でショートが生じても、分散電極３及び面電極２間の電流がこのショート箇所に集中することがないので、全体の発光量は減少するが、発光面全体が発光しなくなることがない。
【００３３】
〔照明装置の実施の形態〕
図３は、本発明に係る照明装置の構成を示すブロック図である。
【００３４】
本発明に係る照明装置は、図３に示すように、前述した本発明に係る固体発光素子１０を有し、この固体発光素子１０の分散電極３の分離された各部分に対応して接続された複数の駆動回路７と、各駆動回路７に電源を供給する電源部８とを備えて構成される。
【００３５】
そして、この照明装置においては、各駆動回路７により、分散電極３の対応する各部分に給電して、固体発光素子１０に面発光をさせる。すなわち、電源部８は、各駆動回路７に対して、直流による電力供給を行う。そして、各駆動回路７は、接続された分散電極３の分離された部分に対して、ＣＷ、または、高速パルス電流を供給し、固体発光素子１０を高速駆動する。このように、この照明装置においては、電源部８をパルス駆動するわけではないので、数ｋＨｚという高速パルス駆動が可能である。
【００３６】
この照明装置においては、固体発光素子１０の高速パルス駆動が可能であることから、パルス駆動に起因する固体発光素子１０の熱抵抗が無視できる程度に低くなり、より大電流を供給することができ、高輝度発光を行うことができる。
【００３７】
また、この照明装置においては、固体発光素子１０全体についてM（Ａ）の電流を流すとすると、分散電極３の分割された各部分の一つについては、分割数がｎであるとすると、〔M／ｎ〕（Ａ）の電流を流せばよく、高速パルス駆動などの高速駆動を行う場合において、各駆動回路７への負荷が軽減され、装置構成の小型化、コストダウンを図ることができる。すなわち、この照明装置においては、各駆動回路７がパラレルで駆動するので、一つの駆動回路７あたりの電流量は少なくなり、製造コストの低廉化、騒音の減少を図ることができる。
【００３８】
さらに、この照明装置においては、固体発光素子１０の半導体層１の一部において何らかの理由でショートが生じても、分散電極３及び面電極２間の電流がこのショート箇所に集中することがないので、全体の発光量は減少するが、発光面全体が発光しなくなることがない。
【００３９】
そして、この照明装置においては、固体発光素子１０の発光状態を検出し、この検出結果に基づいて各駆動回路７を制御するフィードバック手段を設けてもよい。このフィードバック手段は、固体発光素子１０からの発光光量を検出する光検出器１１、固体発光素子１０の温度を検出する温度検出器１２、または、固体発光素子１０に供給されている電流量を検出する電流検出器１３などの検出器と、この検出器からの検出信号が送られる制御回路９とから構成される。
【００４０】
制御回路９は、検出器から送られた検出信号に基づいて、制御信号を生成し、この制御信号により、各駆動回路７を制御する。このフィードバック手段により、固体発光素子１０の発光光量、発光波長（発光色）、固体発光素子１０の温度、または、固体発光素子１０に供給される電流量が、所定の値に安定して維持されることとなる。
【００４１】
図４は、本発明に係る照明装置の使用方法を示す側面図である。
【００４２】
この照明装置は、例えば、画像表示装置の照明装置として使用することができ、この場合には、図４に示すように、この照明装置の固体発光素子１０から発せられた照明光が、照明光学系１４を介して、空間光変調素子１５を照明する。そして、この空間光変調素子１５を経た変調光が図示しない結像光学系によって結像され、画像表示が行われる。
【００４３】
このような画像表示装置において、表示画像の高輝度化を図るためには、照明装置から発せられる照明光の光量を増加させる必要がある。固体発光素子から発せられる照明光は、固体発光素子の発光面の面積（ｍｍ２）あたり、１２０ｌｍ（ルーメン）程度であり、照明光の光量を増加させるには、発光面の面積を増加させる必要がある。しかしながら、前述したように、固体発光素子において発光面積を増加させると、大電流で駆動する必要が生じ、電源及び駆動回路を大型化せざるをえない。固体発光素子の駆動電流は、例えば、発光面の面積（ｍｍ２）あたり、１．４Ａ程度であり、発光面の面積が１０ｍｍ２であれば、１４Ａという大電流となってしまう。
【００４４】
本発明に係る照明装置においては、前述したように、複数の駆動回路７をパラレルに使用しているため、一つの駆動回路７あたりの電流量が少なくなり、各駆動回路７における電流量を増大させることなく、固体発光素子の発光面積を増加させることができ、表示画像の高輝度化を図ることができる。
【００４５】
〔画像表示装置の実施の形態〕
図５は、本発明に係る画像表示装置の構成を示す平面図である。
【００４６】
本発明に係る画像表示装置は、図５に示すように、それぞれが三原色のいずれか一の互いに異なる色（Ｒ（赤色）、Ｇ（緑色）及びＢ（青色））の照明光を発する第１乃至第３の照明装置を有している。これら照明装置は、それぞれが前述した本発明に係る照明装置であり、それぞれ固体発光素子１０Ｒ，１０Ｇ，１０Ｂを有して構成されている。この画像表示装置は、第１の照明装置からの照明光によって照明される第１の空間光変調素子１５Ｒと、第２の照明装置からの照明光によって照明される第２の空間光変調素子１５Ｇと、第３の照明装置からの照明光によって照明される第３の空間光変調素子１５Ｂとを備え、これら空間光変調素子１５Ｒ，１５Ｇ，１５Ｂを経た変調光を色合成素子によって色合成し、色合成素子を経た変調光を結像光学系によって結像させて、カラー画像の表示を行う装置である。
【００４７】
各照明装置は、赤色成分の画像の表示する第１の空間光変調素子１５Ｒを赤色の照明光で照明し、緑色成分の画像の表示する第２の空間光変調素子１５Ｇを緑色の照明光で照明し、青色成分の画像の表示する第３の空間光変調素子１５Ｂを青色の照明光で照明する。各空間光変調素子１５Ｒ，１５Ｇ，１５Ｂは、表示画像の赤色成分、緑色成分及び青色成分をそれぞれ表示し、これら画像に応じて照明光を偏光変調させる。この実施の形態においては、各空間光変調素子１５Ｒ，１５Ｇ，１５Ｂは、反射型のものであり、入射された照明光を偏光変調して反射する。
【００４８】
すなわち、赤色用の照明装置の固体発光素子１０Ｒから発せられた照明光は、照明光学系１４Ｒを構成するライトパイプ１６Ｒ、コリメータレンズ１７Ｒ、１／４波長板１８Ｒ、ワイヤグリッド１９Ｒ、フライアイレンズ２０Ｒ、フィールドレンズ２１Ｒ及び偏光ビームスプリッタ２２Ｒを経て、第１の反射型空間光変調素子１５Ｒに入射される。赤色の照明光は、第１の反射型空間光変調素子１５Ｒによって赤色成分の画像信号に応じて偏光変調されて反射され、偏光ビームスプリッタ２２Ｒにより反射され、赤色の変調光として、色合成素子となる色合成プリズム２３に一側面より入射される。
【００４９】
また、緑色用の照明装置の固体発光素子１０Ｇから発せられた照明光は、照明光学系１４Ｇを構成するライトパイプ１６Ｇ、コリメータレンズ１７Ｇ、１／４波長板１８Ｇ、ワイヤグリッド１９Ｇ、フライアイレンズ２０Ｇ、フィールドレンズ２１Ｇ及び偏光ビームスプリッタ２２Ｇを経て、第２の反射型空間光変調素子１５Ｇに入射される。緑色の照明光は、第２の反射型空間光変調素子１５Ｇによって緑色成分の画像信号に応じて偏光変調されて反射され、偏光ビームスプリッタ２２Ｇにより反射され、緑色の変調光として、色合成プリズム２３に後面より入射される。
【００５０】
そして、青色用の照明装置の固体発光素子１０Ｂから発せられた照明光は、照明光学系１４Ｂを構成するライトパイプ１６Ｂ、コリメータレンズ１７Ｂ、１／４波長板１８Ｂ、ワイヤグリッド１９Ｂ、フライアイレンズ２０Ｂ、フィールドレンズ２１Ｂ及び偏光ビームスプリッタ２２Ｂを経て、第３の反射型空間光変調素子１５Ｂに入射される。青色の照明光は、第３の反射型空間光変調素子１５Ｂによって青色成分の画像信号に応じて偏光変調されて反射され、偏光ビームスプリッタ２２Ｂにより反射され、青色の変調光として、色合成プリズム２３に他側面より入射される。
【００５１】
色合成プリズム２３に入射された赤色、緑色及び青色の変調光は、色合成されて、色合成プリズム２３の前面に出射され、結像光学系となる投射レンズ２４に入射される。この投射レンズ２４は、各色の変調光を図示しないスクリーン上に投射し、拡大して結像させて、画像表示を行う。
【００５２】
この画像表示装置において、各照明装置は、前述したように、各固体発光素子１０Ｒ，１０Ｇ，１０Ｂの発光状態を検出し、この検出結果に基づいて各駆動回路を制御するフィードバック手段となる検出器及び制御装置を有している。そして、この画像表示装置における各照明装置においては、それぞれの制御装置が、各照明装置から出射される照明光の光量バランスを維持させ、表示画像のホワイトバランスを維持する。
【００５３】
すなわち、この画像表示装置においては、いずれかの照明装置の固体発光素子１０Ｒ，１０Ｇ，１０Ｂの一部において何らかの理由でショートが生じて発光量が減少しても、各照明装置の制御装置が、各照明装置から出射される照明光の光量バランスを維持するので、表示画像のホワイトバランスが崩れることがなく、ホワイトバランスの維持された画像の表示を続けることができる。
【図面の簡単な説明】
【００５４】
【図１】本発明に係る固体発光素子の構成を示す側面図である。
【図２】本発明に係る固体発光素子の構成を示す平面図である。
【図３】本発明に係る照明装置の構成を示すブロック図である。
【図４】本発明に係る照明装置の使用方法を示す側面図である。
【図５】本発明に係る画像表示装置の構成を示す平面図である。
【図６】従来の固体発光素子の構成を示す側面図である。
【図７】従来の固体発光素子の構成を示す平面図である。
【符号の説明】
【００５５】
１    半導体層
２    面電極
３    分散電極
４    基板
５    ボンディングワイヤ
６    ボンディングパターン
７    駆動回路
８    電源部
９    制御装置
１０    固体発光素子
１０Ｒ  固体発光素子
１０Ｇ  固体発光素子
１０Ｂ  固体発光素子
１４    照明光学系
１４Ｒ  照明光学系
１４Ｇ  照明光学系
１４Ｂ  照明光学系
１５    空間光変調素子
１５Ｒ  第１の空間光変調素子
１５Ｇ  第２の空間光変調素子
１５Ｂ  第３の空間光変調素子
２３    色合成プリズム
２４    投射レンズ
【図１】
2008028269.tif 000003
【図２】
2008028269.tif 000004
【図３】
2008028269.tif 000005
【図４】
2008028269.tif 000006
【図５】
2008028269.tif 000007
【図６】
2008028269.tif 000008
【図７】
2008028269.tif 000009